(57)【要約】【課題】  簡易な構成であり、かつ双方向でダビングを実行する際の制御も容易に実行可能な情報記録装置を提供する。【解決手段】  本発明に係る情報記録装置は、ＨＤＤ５、ＤＶＤ６およびＶＣＲ７を有する。ＤＶＤ６からＶＣＲ７の転送記録時において、転送制御回路２０は、入力ノードと出力ノードとを短絡する。これにより、映像信号ラインＬ１もしくはＬ２と映像信号ラインＬ３とがスイッチＳＷおよび転送制御回路２０を介して電気的に結合される。すなわち、ＤＶＤ６からＶＣＲ７への直接の情報伝達経路が無くてもＶＣＲへ情報が伝達される。本願構成により、１個のスイッチでＨＤＤ５、ＤＶＤ６およびＶＣＲ７の双方向の転送が可能となり簡易な構成でダビングを実現することができる。【選択図】        図１
2006202381.tif 000002
【特許請求の範囲】
【請求項１】
第１の記憶媒体に記録可能な第１の記録部と、
第２の記憶媒体に記録可能な第２の記録部と、
第３の記憶媒体に記録可能な第３の記録部とを備え、
各記録部は、
他の記録部との間で情報の伝達を制御するための転送制御手段と、
転送時に転送される情報を記録するための情報記録手段とを含み、
前記第１の記録部の転送制御手段の出力ノードと前記第２および第３の記録部の転送制御手段の入力ノードとを接続して情報を伝達するための第１の転送線と、
前記第２の記録部の転送制御手段の出力ノードから前記第１の記録部の転送制御手段の入力ノードに対して情報を伝達するための第２の転送線と、
前記第３の記録部の転送制御手段の出力ノードから前記第１の記録部の転送制御手段の入力ノードに対して情報を伝達するための第３の転送線とをさらに備え、
前記第１の記録部は、指示に応答して第２および第３の転送線と入力ノードとの接続を切り替えるスイッチを含み、
前記第１の記録部の転送制御手段は、前記第２および第３の記憶部の一方から他方への転送時において、入力ノードと出力ノードとを短絡する短絡制御回路とを含み、
前記スイッチは、前記第２の記憶部から前記第３の記憶部への転送時においては前記第２の転送線と前記入力ノードとを電気的に結合し、前記第３の記憶部から前記第２の記憶部への転送時においては前記第３の転送線と前記入力ノードとを電気的に結合し、
前記第１の記録部は、ハードディスクレコーダに相当し、
前記第２の記録部は、ＤＶＤレコーダに相当し、
前記第３の記録部は、ビデオカセットレコーダに相当する、情報記録装置。
【請求項２】
第１の記憶媒体に記録可能な第１の記録部と、
第２の記憶媒体に記録可能な第２の記録部と、
第３の記憶媒体に記録可能な第３の記録部とを備え、
各記録部は、
他の記録部との間で情報の伝達を制御するための転送制御手段と、
転送時に転送される情報を記録するための情報記録手段とを含み、
前記第１の記録部の転送制御手段の出力ノードと前記第２および第３の記録部の転送制御手段の入力ノードとを接続して情報を伝達するための第１の転送線と、
前記第２の記録部の転送制御手段の出力ノードから前記第１の記録部の転送制御手段の入力ノードに対して情報を伝達するための第２の転送線と、
前記第３の記録部の転送制御手段の出力ノードから前記第１の記録部の転送制御手段の入力ノードに対して情報を伝達するための第３の転送線とをさらに備え、
前記第１の記録部は、指示に応答して第２および第３の転送線と入力ノードとの接続を切り替えるスイッチを含み、
前記第１の記録部の転送制御手段は、前記第２および第３の記憶部の一方から他方への転送時において、入力ノードと出力ノードとを短絡する短絡制御回路とを含む、情報記録装置。
【請求項３】
前記スイッチは、前記第２の記憶部から前記第３の記憶部への転送時においては前記第２の転送線と前記入力ノードとを電気的に結合し、前記第３の記憶部から前記第２の記憶部への転送時においては前記第３の転送線と前記入力ノードとを電気的に結合する、請求項２記載の情報記録装置。
【請求項４】
前記第１の記録部は、ハードディスクレコーダに相当し、
前記第２の記録部は、ＤＶＤレコーダに相当し、
前記第３の記録部は、ビデオカセットレコーダに相当する、請求項２記載の情報記録装置。
【発明の詳細な説明】
【技術分野】
【０００１】
本発明は、例えばＨＤＤ（Hard Disc Drive）、ＤＶＤ（Digital Versatile Disc）およびＶＣＲ（Videocassette Recorder）等を内蔵した情報記録装置におけるダビング機能に関する。
【背景技術】
【０００２】
近年、様々な記録媒体および当該記録媒体に記録・録音する記録装置が開発され、用途に合わせた用い方がなされている。しかしながら、当該記録媒体は、それぞれ記録方式が異なるため互換性を図ることが難しくそれぞれの記録装置を使用する必要があり作業が煩雑となるという問題が起きてきている。
【０００３】
それゆえ、特に従来から家庭で一般的に用いられてきたＶＣＲ等を用いて記録した情報を別の記録媒体たとえばハードディスクやＤＶＤメディア等に記録して情報を整理する等ダビング機能を有する情報記録装置が主流となってきている。たとえば、ＨＤＤを内蔵したＤＶＤ記録装置が挙げられる。
【０００４】
従来よりダビング機能すなわち記録した情報が格納されているある記録媒体から他の記録媒体に情報を移し変える方式は種々提案されており、特開平５−８９６４４号公報においては、再生したビデオテープに記録されている情報を別のビデオテープにダビングする際にハードディスク等を用いて効率的な編集作業を実行する方式が開示されている。また、特開２００４−１０４２８７号公報、特開２００４−２６０４５２号公報、実用新案登録第３０７０８３７号公報によれば、ダビングするに際し、一旦ハードディスクに記録してそして、ハードディスクから他の別の記録媒体に記録する方式が開示されている。あるいは、特開平５−３６２４４号公報においては、ダビングするに際し、ＤＶＤメディアのような光磁気記録媒体に記録した後に、光磁気記録媒体からさらにハードディスクに転送記録する方式が開示されており、ハードディスク等に一旦情報を記録してから他の記録媒体に転送記録するためハードディスク等に記録された情報を用いて編集作業等を容易かつ効率的に実行することができる。
【特許文献１】特開平５−３６２４４号公報
【特許文献２】特開平５−８９６４４号公報
【特許文献３】特開２００４−１０４２８７号公報
【特許文献４】特開２００４−２６０４５２号公報
【特許文献５】実用新案登録第３０７０８３７号公報
【発明の開示】
【発明が解決しようとする課題】
【０００５】
一方、編集作業等をすることなく、単にある記録媒体から別の記録媒体に情報を転送記録するダビングに際しては、一時的にハードディスク等に記録することなく、直接ダビングを実行する方が効率的であり、ダビング時間を短縮することが可能である。
【０００６】
図３は、従来の情報記録装置１０のダビング時における情報の流れを説明する図である。
【０００７】
図３を参照して、情報記録装置１０は、ＨＤＤレコーダ（以下単にＨＤＤとも称する）１１、ＤＶＤレコーダ（以下、単にＤＶＤとも称する）１２およびビデオカセットレコーダ（以下、単にＶＣＲとも称する）１３を一つの記録装置内に内蔵している。これら、ＨＤＤ１１、ＤＶＤ１２およびＶＣＲ１３は、それぞれ互いに双方向にダビングを実行することが可能であり、トリプルレコーダとも呼ばれている。
【０００８】
図３には、情報伝達線Ｌ１，Ｌ２，Ｌ３が示されており、情報伝達線Ｌ１は、ＤＶＤ１２から他の２つのＨＤＤ１１およびＶＣＲ１３への情報伝達線である。したがって、ＤＶＤ１２の情報が出力される出力ノードからＨＤＤ１１およびＶＣＲ１３の入力ノードとが接続される。情報伝達線Ｌ２は、ＶＣＲ１３から他の２つのＨＤＤおよびＤＶＤ１２への情報伝達線である。したがって、ＶＣＲ１３の情報が出力される出力ノードからＨＤＤ１１およびＤＶＤ１２の入力ノードとが接続される。情報伝達線Ｌ３は、ＨＤＤ１１から他の２つのＤＶＤ１２およびＶＣＲ１３への情報伝達線である。したがって、ＨＤＤ１１の情報が出力される出力ノードからＤＶＤ１２およびＶＣＲ１３の入力ノードとが接続される。
【０００９】
各ＨＤＤ１１、ＤＶＤ１２およびＶＣＲ１３にそれぞれ対応してスイッチＳＷ１〜ＳＷ３が設けられており、それぞれ対応する制御信号ＣＴ１〜ＣＴ３が入力されて情報伝達経路が切り替えられる。
【００１０】
具体的には、ＨＤＤ１１において、スイッチＳＷ１は、制御信号ＣＴ１に応じて情報伝達線Ｌ１およびＬ２のいずれか一方とＨＤＤ１１の入力ノードとが電気的に結合される。また、ＤＶＤ１２において、スイッチＳＷ２は、制御信号ＣＴ２に応じて情報伝達線Ｌ２およびＬ３のいずれか一方とＤＶＤ１２の入力ノードとが電気的に結合される。同様にＶＣＲ１３において、スイッチＳＷ３は、制御信号ＣＴ３に応じて情報伝達線Ｌ１およびＬ３のいずれか一方とＶＣＲ１３の入力ノードとが電気的に結合される。
【００１１】
当該構成により、ダビング時において制御信号ＣＴ１〜ＣＴ３が選択的に与えられることによりＨＤＤ１１、ＤＶＤ１２およびＶＣＲ１３において双方向で簡易にダビングを実行することができる。
【００１２】
しかしながら、上記の情報記録装置１０は、ＨＤＤ１１、ＤＶＤ１２およびＶＣＲ１３の各記録部に対応してスイッチＳＷ１〜ＳＷ３が設けられる構成であり、またスイッチＳＷ１〜ＳＷ３に与える制御信号ＣＴ１〜ＣＴ３を各記録部のコントロール部（図示せず）から選択的に伝達する必要があり、それぞれが独立に動作可能であるためその制御が複雑であるという問題がある。
【００１３】
本発明は、上記のような問題を解決するためになされたものであって、簡易な構成であり、かつ双方向でダビングを実行する際の制御も容易に実行可能な情報記録装置を提供することを目的とする。
【課題を解決するための手段】
【００１４】
本発明に係る情報記録装置は、第１の記憶媒体に記録可能な第１の記録部と、第２の記憶媒体に記録可能な第２の記録部と、第３の記憶媒体に記録可能な第３の記録部とを備え、各記録部は、他の記録部との間で情報の伝達を制御するための転送制御手段と、転送時に転送される情報を記録するための情報記録手段とを含み、第１の記録部の転送制御手段の出力ノードと第２および第３の記録部の転送制御手段の入力ノードとを接続して情報を伝達するための第１の転送線と、第２の記録部の転送制御手段の出力ノードから第１の記録部の転送制御手段の入力ノードに対して情報を伝達するための第２の転送線と、第３の記録部の転送制御手段の出力ノードから第１の記録部の転送制御手段の入力ノードに対して情報を伝達するための第３の転送線とをさらに備える。第１の記録部は、指示に応答して第２および第３の転送線と入力ノードとの接続を切り替えるスイッチを含む。第１の記録部の転送制御手段は、第２および第３の記憶部の一方から他方への転送時において、入力ノードと出力ノードとを短絡する短絡制御回路とを含む。スイッチは、第２の記憶部から第３の記憶部への転送時においては第２の転送線と入力ノードとを電気的に結合し、第３の記憶部から前記第２の記憶部への転送時においては第３の転送線と入力ノードとを電気的に結合する。第１の記録部は、ハードディスクレコーダに相当し、第２の記録部は、ＤＶＤレコーダに相当し、第３の記録部は、ビデオカセットレコーダに相当する。
【００１５】
本発明に係る情報記録装置は、第１の記憶媒体に記録可能な第１の記録部と、第２の記憶媒体に記録可能な第２の記録部と、第３の記憶媒体に記録可能な第３の記録部とを備える。各記録部は、他の記録部との間で情報の伝達を制御するための転送制御手段と、転送時に転送される情報を記録するための情報記録手段とを含む。第１の記録部の転送制御手段の出力ノードと第２および第３の記録部の転送制御手段の入力ノードとを接続して情報を伝達するための第１の転送線と、第２の記録部の転送制御手段の出力ノードから第１の記録部の転送制御手段の入力ノードに対して情報を伝達するための第２の転送線と、第３の記録部の転送制御手段の出力ノードから第１の記録部の転送制御手段の入力ノードに対して情報を伝達するための第３の転送線とをさらに備える。第１の記録部は、指示に応答して第２および第３の転送線と入力ノードとの接続を切り替えるスイッチを含む。第１の記録部の転送制御手段は、第２および第３の記憶部の一方から他方への転送時において、入力ノードと出力ノードとを短絡する短絡制御回路とを含む。
【００１６】
好ましくは、スイッチは、第２の記憶部から第３の記憶部への転送時においては第２の転送線と入力ノードとを電気的に結合し、第３の記憶部から前記第２の記憶部への転送時においては第３の転送線と入力ノードとを電気的に結合する。
【００１７】
好ましくは、第１の記録部は、ハードディスクレコーダに相当し、第２の記録部は、ＤＶＤレコーダに相当し、第３の記録部は、ビデオカセットレコーダに相当する。
【発明の効果】
【００１８】
本発明に係る情報記録装置は、第１の記録部の転送制御手段において、第２および第３の記憶部の一方から他方への転送時において、入力ノードと出力ノードとを短絡する短絡制御回路とを含む。これにより、第２および第３の記憶部の一方から他方への転送時において、第１の転送線とスイッチにより第２および第３の転送線のうちの一方とが短絡制御回路を介して電気的に結合されて他方の記憶部に対して情報が伝達される。  すなわち、１個のスイッチで第１から第３の記録部の双方向の転送が可能となり簡易な構成でダビングを実現することができる。
【発明を実施するための最良の形態】
【００１９】
以下、本発明の実施の形態について図面を参照しながら詳細に説明する。なお、図中同一または相当部分には同一符号を付し、その説明は繰返さない。
【００２０】
図１は、本発明の実施の形態に従う情報記録装置１の概略ブロック図である。
【００２１】
図１を参照して、本発明の実施の形態に従う情報記録装置１は、ＨＤＤ５と、ＤＶＤ６と、ＶＣＲ７とを備える。また、ＤＶＤ６からＨＤＤ５に対して情報を伝達するための情報伝達線Ｌ１と、ＶＣＲ７からＨＤＤ５に対して情報を伝達するための情報伝達線Ｌ２と、ＨＤＤ５からＤＶＤ６およびＶＣＲ７に対して情報を伝達するための情報伝達線Ｌ３とをさらに備える。また、ＨＤＤ５は、ＨＤＤ全体を制御するメインコントロール部３０と、記録媒体に記録するあるいは記録媒体に記録された情報を再生する記録／再生部４０と、ダビング時に他の記録部との間で情報の授受を実行してダビングを実行するための情報の授受を制御するための転送制御回路２０と、制御信号ＣＴに応じて情報伝達線Ｌ１およびＬ２のいずれか一方を選択して転送制御回路２０の入力ノードと電気的に結合するためのスイッチＳＷとを含む。転送制御回路２０の出力ノードは、情報伝達線Ｌ３と電気的に結合されており、転送制御回路２１，２２の入力ノードに情報が伝達される。
【００２２】
なお、メインコントロール部３０は、サブコントロール部３１，３２とほぼ同様の機能を有するがメインコントロール部３０は、サブコントロール部３１，３２も制御し、いわゆる主従の関係にあるものとする。
【００２３】
ＤＶＤ６は、ＤＶＤ６全体を制御するサブコントロール部３１と、記録媒体に記録するあるいは記録媒体に記録された情報を再生する記録／再生部４１と、ダビング時に他の記録部との間で情報の授受を実行してダビングを実行するための情報の授受を制御するための転送制御回路２１とを含む。転送制御回路２１の入力ノードは、情報伝達線Ｌ３と電気的に結合されており、出力ノードは情報伝達線Ｌ１と電気的に結合されている。
【００２４】
ＶＣＲ７は、ＶＣＲ７全体を制御するサブコントロール部３２と、記録媒体に記録するあるいは記録媒体に記録された情報を再生する記録／再生部４２と、ダビング時に他の記録部との間で情報の授受を実行してダビングを実行するための情報の授受を制御するための転送制御回路２２とを含む。転送制御回路２２の入力ノードは、情報伝達線Ｌ３と電気的に結合されており、出力ノードは情報伝達線Ｌ２と電気的に結合されている。
【００２５】
図２は、ＨＤＤ５の転送制御回路の一部を概略的に説明する図である。
【００２６】
図２を参照して、ＨＤＤ５は、入力ノードに入力される情報および出力ノードに出力される情報の伝達を制御するための入出力制御回路５５と、ダビング時に入出力制御回路５５との間で情報の転送処理を実行するための転送処理回路５０とを含む。
【００２７】
以下、本発明の実施の形態に従う情報記録装置１のダビング時の処理について説明する。
【００２８】
ＨＤＤ５からＤＶＤ６あるいはＶＣＲ７へのダビングについては、メインコントロール部３０が記憶／再生部４０および転送制御回路２０を制御する。記憶／再生部４０は、メインコントロール部３０からの指示に応答して内部のメモリ等（図示せず）に記憶されている情報を転送制御回路２０に伝達する。転送制御回路２０は、記憶／再生部４０から伝達された情報を上述した転送処理回路５０および入出力制御回路５５を介して出力ノードから情報伝達線Ｌ３に伝達する。これに伴い、情報伝達線Ｌ３に伝達された情報は、ＤＶＤ６あるいはＶＣＲ７の転送制御回路２１もしくは２２に入力される。そして、各記憶部における記録／再生部において対応する記録媒体に対する記録動作が実行される。
【００２９】
たとえば、ＤＶＤ６においては、サブコントロール部３１が転送制御回路２１および記録／再生部４１を制御して転送記録を実行する。具体的には、転送制御回路２１は、情報伝達線Ｌ３を介して伝達された情報を当該記録／再生部４１で記録が可能な形式に変換処理等を施して記録／再生部４１に出力する。記録／再生部４１は、サブコントロール部３１の指示に基づいて予め収納されている取り出し可能な光磁気記録ディスクであるＤＶＤメディアに対して転送されてきた情報を記録する。記録／再生部４１における光磁気記録ディスクに対する記録／再生動作については、一般的な技術であるため詳細な説明は省略する。
【００３０】
同様に、ＶＣＲ７においても同様の処理が実行される。具体的には、サブコントロール部３２が転送制御回路２２および記録／再生部４２を制御して転送記録を実行する。転送制御回路２２は、情報伝達線Ｌ３を介して伝達された情報を当該記録／再生部４２で記録が可能な形式に変換処理等を施して記録／再生部４２に出力する。記録／再生部４２は、サブコントロール部３２の指示に基づいて予め収納されている取り出し可能なビデオテープであるＶＣＲメディアに対して転送されてきた情報を記録する。記録／再生部４２におけるビデオテープに対する記録／再生動作については、一般的な技術であるため詳細な説明は省略する。なお、ビデオテープに記録されるデータはアナログ信号であるため図示しないが転送制御回路２２は、入力ノードから入力される情報すなわちデジタル信号をアナログ信号に変換するいわゆるＤ／Ａ変換回路を有しているものとする。一方、ＨＤＤ５およびＤＶＤ６は、アナログ信号ではなくデジタル信号を処理するものであるため転送制御回路２２は、記録／再生部４２で再生したアナログ信号をデジタル信号に変換して出力ノードから出力するようにいわゆるＡ／Ｄ変換回路を有しているものとする。
【００３１】
また、ＤＶＤ６あるいはＶＣＲ７からＨＤＤ５へのダビングについては、ＶＣＲ７あるいはＨＤＤ５のサブコントロール部３１，３２が記憶／再生部４１，４２および転送制御回路２１，２２を制御する。たとえば記憶／再生部４１は、サブコントロール部３１からの指示に応答して予め収納されているＤＶＤメディアに記憶されている情報を転送制御回路２１に伝達する。転送制御回路２１は、記憶／再生部４１から伝達された情報を出力ノードから情報伝達線Ｌ１に伝達する。これに伴い、情報伝達線Ｌ１に伝達された情報は、ＨＤＤ５のスイッチＳＷに入力される。
【００３２】
また、記憶／再生部４２は、サブコントロール部３２からの指示に応答して予め収納されているビデオテープに記憶されている情報を転送制御回路２２に伝達する。転送制御回路２２は、記憶／再生部４２から伝達された情報を出力ノードから情報伝達線Ｌ２に伝達する。これに伴い、情報伝達線Ｌ２に伝達された情報は、ＨＤＤ５のスイッチＳＷに入力される。
【００３３】
そして、スイッチＳＷは、制御信号ＣＴに応答して情報伝達線Ｌ１およびＬ２の一方と入力ノードＩＮとを電気的に結合させる。そして、ＨＤＤにおける記録／再生部において対応する記録媒体に対する記録動作が実行される。
【００３４】
たとえば、ＨＤＤ５においては、メインコントロール部３０が転送制御回路２０および記録／再生部４０を制御して転送記録を実行する。具体的には、転送制御回路２０は、転送処理回路５０において、情報伝達線Ｌ１もしくはＬ２および入出力制御回路５５を介して伝達された情報を当該記録／再生部４０で記録が可能な形式に変換処理等を施して記録／再生部４０に出力する。記録／再生部４０は、サブコントロール部３０の指示に基づいて内蔵されているメモリ等に対して転送されてきた情報を記録する。記録／再生部４０におけるメモリ等への記録／再生動作については、一般的な技術であるため詳細な説明は省略する。
【００３５】
そして、ＤＶＤ６からＶＣＲ７あるいはＶＣＲ７からＤＶＤ６へのダビングについては、ＶＣＲ７あるいはＨＤＤ５のサブコントロール部３１，３２が記憶／再生部４１，４２および転送制御回路２１，２２を制御する。
【００３６】
一例としてＤＶＤ６からＶＣＲ７へのダビングについて説明する。たとえば記憶／再生部４１は、サブコントロール部３１からの指示に応答して予め収納されているＤＶＤメディアに記憶されている情報を転送制御回路２１に伝達する。転送制御回路２１は、記憶／再生部４１から伝達された情報を出力ノードから情報伝達線Ｌ１に伝達する。これに伴い、情報伝達線Ｌ１に伝達された情報は、ＨＤＤ５のスイッチＳＷに入力される。
【００３７】
そして、スイッチＳＷは、制御信号ＣＴに応答して情報伝達線Ｌ１およびＬ２の一方と入力ノードＩＮとを電気的に結合させる。本例においては、制御信号ＣＴに応答して入力ノードＩＮと情報伝達線Ｌ１とを電気的に結合させる。これにより、ＤＶＤ６からの情報が入出力制御回路５５に入力される。入出力制御回路５５は、メインコントロール部３０からの指示に応答してＤＶＤ６からＶＣＲ７へのダビング時もしくはＶＣＲ７からＤＶＤ６へのダビング時に入力ノードＩＮに入力された情報を出力ノードＯＵＴから出力するように短絡経路を形成するように動作する。これに伴い、入力ノードＩＮに入力された情報は入出力制御回路５５を介して出力ノードＯＵＴから再び出力されることになる。その際、転送処理回路５０と入出力制御回路５５との情報の授受動作は実行されないものとすることができる。
【００３８】
ＤＶＤ６からＶＣＲ７へのダビング時あるいはＶＣＲ７からＤＶＤ６へのダビング時の当該入出力制御回路５５の動作により、情報伝達線Ｌ１と情報伝達線Ｌ３とは転送制御回路２０を介して電気的に接続される。これにより、情報伝達線Ｌ３を介してＶＣＲ７の転送制御回路２２の入力ノードＩＮに情報が入力され、上述した処理に基づいてＶＣＲ７のテープレコーダに情報が転送記録される。すなわちＤＶＤ６からＶＣＲ７あるいはＶＣＲ７からＤＶＤ６への直接の情報伝達経路が無くても情報伝達線Ｌ１を用いることにより情報を伝達することが可能である。
【００３９】
同様に、ＶＣＲ７からＤＶＤ６へのダビング時においてもスイッチＳＷの切り替えが異なるのみで処理については上述したのと同様であるのでその詳細な説明は繰返さない。
【００４０】
すなわち、本発明の実施の形態に従う情報記録装置１は、ダビング時に制御信号ＣＴに応答して切り替るスイッチＳＷを一つ設けられたのみであり、各記録部に対応して切り替えスイッチを設ける必要がなく簡易な構成でダビングを実行することができる。
【００４１】
また、スイッチＳＷの制御は、メインコントロール部３０が制御するものであり、他のサブコントロール部３１，３２を用いることなく制御するものであるため情報記録装置１全体の制御負荷が軽減される。また、ＤＶＤ６とＶＣＲ７との間の情報を伝達する情報伝達線を削除することができ、コストも低減される。
【００４２】
なお、本例においては、ＨＤＤ、ＤＶＤおよびＶＣＲの３つの記録部が一つの装置内に内蔵されたトリプルレコーダについて説明したがこれに限られず、さらに他の記録方式に従う記録部を内蔵あるいは外部端子を用いて接続しても同様にして適用することが可能である。たとえばＤＶ端子を用いてビデオレコーダとの間でダビングを実現することも可能である。また、本実施の形態においては、それぞれが異なる３つの記録部が一つの装置内に内蔵されたトリプルレコーダについて説明したが、少なくとも２つ同じ機能を有する記録部を一つの装置内に内蔵することも可能であるし、自由な組合せにより一つの装置内に記録部を内蔵することも可能である。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態に従う情報記録装置１０の概略ブロック図である。
【図２】ＨＤＤ５の転送制御回路の一部を概略的に説明する図である。
【図３】従来の情報記録装置１０のダビング時における情報の流れを説明する図である。
【符号の説明】
【００４５】
１，１０  情報記録装置、５，１１  ＨＤＤ、６，１２  ＤＶＤ、７，１３  ＶＣＲ、２０〜２２  転送制御回路、３０  メインコントロール部、３１，３２  サブコントロール部、４０〜４２  記録／再生部、５０  転送処理回路、５５  入出力制御回路。
【図１】
2006202381.tif 000003
【図２】
2006202381.tif 000004
【図３】
2006202381.tif 000005